(57)【要約】【課題】本発明は、極めて商品価値の高い画期的な薪割り機を提供することを目的とする。【解決手段】薪１を割るための薪割り機であって、薪載置部２を有する薪割り本体３に、前記薪載置部２に載置した前記薪１の一端側に位置する刃部４を設けると共に、前記薪載置部２に載置した前記薪１の他端側に位置する薪支承部５を前記刃部４と相対接近移動自在に設け、足踏み操作部６の足踏み操作により擺動する擺動体10に連結して前記足踏み操作部６の足踏み操作により回動し得る回動部７と、この回動部７に連設して該回動部７の回動により前記刃部４と前記薪支承部５とを接近移動せしめる接近駆動機構とを有するものである。【選択図】図１
2010046929.tif 000002
【特許請求の範囲】
【請求項１】
薪を割るための薪割り機であって、薪載置部を有する薪割り本体に、前記薪載置部に載置した前記薪の一端側に位置する刃部を設けると共に、前記薪載置部に載置した前記薪の他端側に位置する薪支承部を前記刃部と相対接近移動自在に設け、足踏み操作部の足踏み操作により擺動する擺動体に連結して前記足踏み操作部の足踏み操作により回動し得る回動部と、この回動部に連設して該回動部の回動により前記刃部と前記薪支承部とを接近移動せしめる接近駆動機構とを有し、前記擺動体と回動部との連結部にラチェット機構を設けて、前記足踏み操作部へ足踏み操作を繰り返し行い前記回動部が順次回動することで、前記刃部と前記薪支承部とを接近移動せしめるように前記接近駆動機構を構成したことを特徴とする薪割り機。
【請求項２】
前記接近駆動機構における駆動伝達手段として、前記回動部の回動により駆動する歯車構造，ボールネジ構造若しくは回転シリンダー構造を採用したことを特徴とする請求項１記載の薪割り機。
【請求項３】
薪を割るための薪割り機であって、薪載置部を有する薪割り本体に、前記薪載置部に載置した前記薪の一端側に位置する刃部を設けると共に、前記薪載置部に載置した前記薪の他端側に位置する薪支承部を前記刃部と相対接近移動自在に設け、前記刃部若しくは前記薪支承部を足踏み操作部への足踏み操作により接近移動せしめる足踏み移動機構を有し、前記薪支承部，前記刃部の少なくとも一方に設けた歯車部若しくは歯車転動部が歯合する歯車転動部若しくは歯車部を前記薪割り本体に設け、前記歯車部を前記足踏み操作部の足踏み操作により擺動する擺動体に連結して前記足踏み操作部の足踏み操作により回動し得るように前記歯車部を構成し、前記擺動体と歯車部との連結部にラチェット機構を設けて、前記足踏み操作部へ足踏み操作を繰り返し行い一方向へ回動する前記歯車部が前記歯車転動部に対して順次転動することで、前記刃部と前記薪支承部とを接近移動せしめるように設けて前記足踏み移動機構を構成したことを特徴とする薪割り機。
【請求項４】
前記足踏み操作部へ付勢体の戻り付勢に抗して足踏み操作を繰り返し行い前記歯車部が前記歯車転動部を順次転動することで、前記刃部と前記薪支承部とを接近移動せしめるように設けて前記足踏み移動機構を構成したことを特徴とする請求項３記載の薪割り機。
【請求項５】
前記薪割り本体の上部対向位置に前記薪を載置する薪載置部材を所定間隔を介して設けて前記薪載置部を構成し、この薪載置部材同士の間に前記薪支承部若しくは前記刃部を移動自在に設けたことを特徴とする請求項１〜４のいずれか１項に記載の薪割り機。
【請求項６】
前記薪支承部，前記刃部の少なくとも一方に設けたスライド部をガイドするガイド部を前記薪割り本体に設け、前記スライド部若しくは前記ガイド部に設けた前記歯車部が転動する前記歯車転動部を前記ガイド部若しくは前記スライド部に設け、前記歯車部を前記歯車転動部の足踏み操作により擺動する擺動体に連結して前記足踏み操作部の足踏み操作により回動し得るように前記歯車部を構成し、前記擺動体と歯車部との連結部にラチェット機構を設けて、前記足踏み操作部へ足踏み操作を繰り返し行い一方向へ回動する前記歯車部が前記歯車転動部に対して順次転動することで、前記刃部と前記薪支承部とを接近移動せしめるように設けて前記足踏み移動機構を構成したことを特徴とする請求項３〜５のいずれか１項に記載の薪割り機。
【発明の詳細な説明】
【技術分野】
【０００１】
本発明は、例えば暖炉や薪ストーブで使用する薪を割るための薪割り機に関するものである。
【背景技術】
【０００２】
近年、暖房装置として薪を燃料とした薪ストーブを一般家庭で使用する人が増えている。この薪ストーブは、主にインテリア性、環境性の良さに注目されてきたが、特に最近では原油の高騰に伴い経済性の良さからも注目される。
【０００３】
ところで、この薪ストーブで使用される薪は、間伐材などの樹木を最適な大きさ（使用に適した大きさ）に割る必要があるが、この薪を一つ一つ斧を使用して手作業で割っていたのでは大変であり、しかも、熟練の技を要する作業であり、そこで、この手作業での問題点を解消すべく、例えば実用新案登録第３１３５７２３号に開示される薪割り機（以下、従来例）が提案されている。
【０００４】
この従来例は、副枠、トップフレームを含み、副枠の一端とトップフレームの一端をヒンジで連結した足踏み式薪割機であって、トップフレームと副枠の連結端部にトップフレームに沿って往復移動できる斧が、トップフレームの自由端にフットペダルが、副枠の上に固定的なブロック形の架台が、ブロック形の架台の上にスプリングがそれぞれ設けられ、スプリングのもう一方は斧の下端の両側に連結して、斧とブロック形の架台の間に一つの揺動できるジョイントプレートが設けられ、トップフレームの自由端にトップフレームに沿って往復移動できる木製リンクストッパーが設けられたものである。
【０００５】
この構造から、フットペダルを足で踏み込むと木製リンクストッパーが薪の一端部を支承するとともに、薪の他端部に斧が移動して食い込むことになる。続いて、足をフットペダルから離すとバネの作用で斧が元の位置に戻るとともに、同時にトップフレームも上昇して元の位置に戻り、斧が戻ると同時に薪も下へ移動、木製リンクストッパーも同時に下へ可動する。この繰り返しによって薪を割ることになる。
【０００６】
従って、足の踏み付け力（体重を乗せた強い力）による足踏み操作によって薪を割ることができ、前述した手作業に比し、熟練者でなくても楽に且つ確実に薪を割ることができるとされる。
【０００７】
【特許文献１】実用新案登録第３１３５７２３号公報
【発明の開示】
【発明が解決しようとする課題】
【０００８】
ところが、従来例は、薪を割る際、副枠に対して傾斜立設状態で枢着されたトップフレーム（フットペダル）を繰り返し踏み込むことで、トップフレームに載置した薪を割る構造であるが、その構造上、実際には、フットペダルを強く踏み込まなければならず薪を割るには強い力が必要であり、しかも、フットペダルを踏み込んで擺動させる度にトップフレームに載置した重量のある薪も一緒に擺動させることになる為（重量の重い物を薪割り機上部で揺動させることになる為）、従来例全体が動いてしまう場合があるなど極めて不安定な状態での作業となり作業性が良好でないなどの問題点がある。
【０００９】
本発明は、前述した問題点を解決する、従来にない作用効果を発揮する画期的な薪割り機を提供するものである。
【課題を解決するための手段】
【００１０】
添付図面を参照して本発明の要旨を説明する。
【００１１】
薪１を割るための薪割り機であって、薪載置部２を有する薪割り本体３に、前記薪載置部２に載置した前記薪１の一端側に位置する刃部４を設けると共に、前記薪載置部２に載置した前記薪１の他端側に位置する薪支承部５を前記刃部４と相対接近移動自在に設け、足踏み操作部６の足踏み操作により擺動する擺動体10に連結して前記足踏み操作部６の足踏み操作により回動し得る回動部７と、この回動部７に連設して該回動部７の回動により前記刃部４と前記薪支承部５とを接近移動せしめる接近駆動機構とを有し、前記擺動体10と回動部７との連結部にラチェット機構９を設けて、前記足踏み操作部６へ足踏み操作を繰り返し行い前記回動部７が順次回動することで、前記刃部４と前記薪支承部５とを接近移動せしめるように前記接近駆動機構を構成したことを特徴とする薪割り機に係るものである。
【００１２】
また、前記接近駆動機構における駆動伝達手段として、前記回動部７の回動により駆動する歯車構造，ボールネジ構造若しくは回転シリンダー構造を採用したことを特徴とする請求項１記載の薪割り機に係るものである。
【００１３】
また、薪１を割るための薪割り機であって、薪載置部２を有する薪割り本体３に、前記薪載置部２に載置した前記薪１の一端側に位置する刃部４を設けると共に、前記薪載置部２に載置した前記薪１の他端側に位置する薪支承部５を前記刃部４と相対接近移動自在に設け、前記刃部４若しくは前記薪支承部５を足踏み操作部６への足踏み操作により接近移動せしめる足踏み移動機構を有し、前記薪支承部５，前記刃部４の少なくとも一方に設けた歯車部７若しくは歯車転動部８が歯合する歯車転動部８若しくは歯車部７を前記薪割り本体３に設け、前記歯車部７を前記足踏み操作部６の足踏み操作により擺動する擺動体10に連結して前記足踏み操作部６の足踏み操作により回動し得るように前記歯車部７を構成し、前記擺動体10と歯車部７との連結部にラチェット機構９を設けて、前記足踏み操作部６へ足踏み操作を繰り返し行い一方向へ回動する前記歯車部７が前記歯車転動部８に対して順次転動することで、前記刃部４と前記薪支承部５とを接近移動せしめるように設けて前記足踏み移動機構を構成したことを特徴とする薪割り機に係るものである。
【００１４】
また、前記足踏み操作部６へ付勢体13の戻り付勢に抗して足踏み操作を繰り返し行い前記歯車部７が前記歯車転動部８を順次転動することで、前記刃部４と前記薪支承部５とを接近移動せしめるように設けて前記足踏み移動機構を構成したことを特徴とする請求項３記載の薪割り機に係るものである。
【００１５】
また、前記薪割り本体３の上部対向位置に前記薪１を載置する薪載置部材２Ａを所定間隔を介して設けて前記薪載置部２を構成し、この薪載置部材２Ａ同士の間に前記薪支承部５若しくは前記刃部４を移動自在に設けたことを特徴とする請求項１〜４のいずれか１項に記載の薪割り機に係るものである。
【００１６】
また、前記薪支承部５，前記刃部４の少なくとも一方に設けたスライド部11をガイドするガイド部12を前記薪割り本体３に設け、前記スライド部11若しくは前記ガイド部12に設けた前記歯車部７が転動する前記歯車転動部８を前記ガイド部12若しくは前記スライド部11に設け、前記歯車部７を前記歯車転動部８の足踏み操作により擺動する擺動体10に連結して前記足踏み操作部６の足踏み操作により回動し得るように前記歯車部７を構成し、前記擺動体10と歯車部７との連結部にラチェット機構９を設けて、前記足踏み操作部６へ足踏み操作を繰り返し行い一方向へ回動する前記歯車部７が前記歯車転動部８に対して順次転動することで、前記刃部４と前記薪支承部５とを接近移動せしめるように設けて前記足踏み移動機構を構成したことを特徴とする請求項３〜５のいずれか１項に記載の薪割り機に係るものである。
【発明の効果】
【００１７】
本発明は上述のように構成したから、前述した従来例と異なり、熟練者でなくても極めて楽に且つ確実に薪を割ることができ、しかも、非常に安定した状態で良好な薪割り作業が行えるなど従来にない作用効果を発揮する画期的な薪割り機となる。
【００１８】
また、請求項２記載の発明においては、確実に良好な薪割り作業が行なわれる構造が得られるなど従来にない作用効果を発揮する画期的な薪割り機となる。
【００１９】
また、請求項３記載の発明においては、前述した請求項１記載の発明と同様、前述した従来例と異なり、熟練者でなくても極めて楽に且つ確実に薪を割ることができ、しかも、非常に安定した状態で良好な薪割り作業が行えるなど従来にない作用効果を発揮する画期的な薪割り機となる。
【００２０】
また、請求項４記載の発明においては、より一層簡易操作で良好な薪割り作業が行えることになるなど従来にない作用効果を発揮する画期的な薪割り機となる。
【００２１】
また、請求項５記載の発明においては、常に薪を最適な状態に割ることができるなど従来にない作用効果を発揮する画期的な薪割り機となる。
【００２２】
また、請求項６記載の発明においては、より一層安定した状態で良好な薪割り作業が行えるなど従来にない作用効果を発揮する画期的な薪割り機となる。
【発明を実施するための最良の形態】
【００２３】
好適と考える本発明の実施形態を、図面に基づいて簡単に説明する。
【００２４】
薪割り作業の際、薪載置部２に載置した薪１の一端側には刃部４が位置し、薪１の他端側には薪支承部５が位置する。この状態で足踏み操作部６を足踏み操作して刃部４と薪支承部５を相対接近移動せしめ、他端側が薪支承部５で支承される薪１の一端側に刃部４を押し当てることで薪載置部２に載置した薪１は割れる。
【００２５】
ところで、本発明は、足踏み操作部６の足踏み操作により擺動する擺動体10に連結して前記足踏み操作部６の足踏み操作により回動し得る回動部７と、この回動部７に連設して該回動部７の回動により前記刃部４と前記薪支承部５とを接近移動せしめる接近駆動機構とを有し、前記擺動体10と回動部７との連結部にラチェット機構９を設けて、前記足踏み操作部６へ足踏み操作を繰り返し行い前記回動部７が順次回動することで、前記刃部４と前記薪支承部５とを接近移動せしめるように接近駆動機構を構成しており、この構成から秀れた作用効果を発揮する。
【００２６】
即ち、回動部７を足踏み操作部６の足踏み操作により擺動する擺動体10に連結して足踏み操作部６の足踏み操作により回動し得るように設けた構成で所謂梃子の原理を利用した増力効果が得られる構造であり、且つ、この擺動体10と回動部７との連結部にラチェット機構９を設けた構造であり、単に足踏み操作部６へ足踏み操作を繰り返し行なうだけで薪割り作業が簡易且つ確実に行なえることになり、しかも、この刃部４と薪支承部５との相対接近移動が、足踏み操作部６を足踏み操作して回動部７を回動させるだけの構造、即ち、前述した従来例のように薪１を載置する部位を揺動させることなく刃部４と薪支承部５との相対接近移動を達成し得る構造のため、非常に安定した状態で薪割り作業が行なえることになる。
【００２７】
従って、前述した従来例と異なり、極めて楽に且つ確実に薪を割ることができ、しかも、非常に安定した状態で良好な薪割り作業が行えることになる。
【００２８】
また、請求項２記載の発明のように、接近駆動機構における駆動伝達手段として、回動部７の回動により駆動する歯車構造，ボールネジ構造若しくは回転シリンダー構造を採用した場合には、回動部７の回動を利用して、刃部４と薪支承部５とを接近移動せしめるに必要な駆動が確実に得られることになり、確実に良好な薪割り作業が行なわれる構造が得られることになる。
【００２９】
また、請求項３記載の発明は、薪支承部５，刃部４の少なくとも一方に設けた歯車部７若しくは歯車転動部８が歯合する歯車転動部８若しくは歯車部７を薪割り本体３に設け、歯車部７を足踏み操作部６の足踏み操作により擺動する擺動体10に連結して足踏み操作部６の足踏み操作により回動し得るように歯車部７を構成し、擺動体10と歯車部７との連結部にラチェット機構９を設けて、足踏み操作部６へ足踏み操作を繰り返し行い一方向へ回動する歯車部７が歯車転動部８に対して順次転動することで、刃部４と薪支承部５とを接近移動せしめるように設けて足踏み移動機構を構成しており、この構成から秀れた作用効果を発揮する。
【００３０】
即ち、歯車部７を足踏み操作部６の足踏み操作により擺動する擺動体10に連結して足踏み操作部６の足踏み操作により回動し得るように設けた構成で所謂梃子の原理を利用した増力効果が得られる構造であり、且つ、この擺動体10と歯車部７との連結部にラチェット機構９を設けた構造であり、単に足踏み操作部６へ足踏み操作を繰り返し行なうだけで薪割り作業が簡易且つ確実に行なえることになり、しかも、刃部４と薪支承部５との相対接近移動が、歯車部７を歯車転動部８に対して転動させて行なう構造、即ち、足踏み操作部６への踏み込み力を歯車を利用して増力する構造であって、確実に任意の方向への移動を達成する構造のため、足踏み操作部６を無理に強く踏み込むようなことをしなくても軽い力で楽に薪割り作業が行なえることになり、そして更に、この刃部４と薪支承部５との相対接近移動が、足踏み操作部６を足踏み操作して歯車部７を回動させるだけの構造、即ち、前述した従来例のように薪１を載置する部位を揺動させることなく刃部４と薪支承部５との相対接近移動を達成し得る構造のため、非常に安定した状態で薪割り作業が行なえることになる。
【００３１】
従って、前述した従来例と異なり、極めて楽に且つ確実に薪を割ることができ、しかも、非常に安定した状態で良好な薪割り作業が行えることになる。
【００３２】
また、請求項４記載の発明のように、足踏み操作部６へ付勢体13の戻り付勢に抗して足踏み操作を繰り返し行い歯車部７が歯車転動部８を順次転動することで、刃部４と薪支承部５とを接近移動せしめるように設けて足踏み移動機構を構成した場合には、足踏み操作が行なわれた足踏み操作部６は付勢体13の戻り付勢によって元の位置に戻るから、足踏み操作を行なうたびに作業者が足踏み操作部６を元の位置へ戻す作業が必要なくなり、より一層簡易操作で良好な薪割り作業が行えることになる。
【００３３】
また、請求項５記載の発明のように、薪割り本体３の上部対向位置に薪１を載置する薪載置部材２Ａを所定間隔を介して設けて薪載置部２を構成し、この薪載置部材２Ａ同士の間に薪支承部５若しくは刃部４を移動自在に設けた場合には、薪１を割る際には常に薪１の略中央（中心）に刃部４を当てて割ることができるから、熟練者でなくても常に最適な状態（薪として利用価値に秀れた状態）に割ることができる。
【００３４】
また、請求項６記載の発明のように、薪支承部５，刃部４の少なくとも一方に設けたスライド部11をガイドするガイド部12を薪割り本体３に設け、スライド部11若しくはガイド部12に設けた歯車部７が転動する歯車転動部８をガイド部12若しくはスライド部11に設け、歯車部７を足踏み操作部６の足踏み操作により擺動する擺動体10に連結して足踏み操作部６の足踏み操作により回動し得るように歯車部７を構成し、擺動体10と歯車部７との連結部にラチェット機構９を設けて、足踏み操作部６へ足踏み操作を繰り返し行い一方向へ回動する歯車部７が歯車転動部８に対して順次転動することで、刃部４と薪支承部５とを接近移動せしめるように設けて足踏み移動機構を構成した場合には、歯車部７が転動して進む力を確実に薪支承部５若しくは刃部４に伝えて確実に薪割り作業が行えることになり、安定した薪割り作業が行われることになる。
【実施例】
【００３５】
本発明の具体的な一実施例について図面に基づいて説明する。
【００３６】
本実施例は、薪１を割るための薪割り機であって、薪載置部２を有する薪割り本体３に、薪載置部２に載置した薪１の一端側に位置する刃部４を設けると共に、薪載置部２に載置した薪１の他端側に位置する薪支承部５を刃部４と相対接近移動自在に設け、足踏み操作部６の足踏み操作により擺動する擺動体10に連結して足踏み操作部６の足踏み操作により回動し得る回動部７と、この回動部７に連設して該回動部７の回動により刃部４と薪支承部５とを接近移動せしめる接近駆動機構とを有し、擺動体10と回動部７との連結部にラチェット機構９を設けて、足踏み操作部６へ足踏み操作を繰り返し行い回動部７が順次回動することで、刃部４と薪支承部５とを接近移動せしめるように接近駆動機構を構成したものである。尚、本明細書では、便宜上、薪割り作業前の木材も薪割り作業後の木材も薪１と言う。また、本実施例では、接近駆動機構における駆動伝達手段として、後述するように回動部７（歯車部７）の回動により駆動する歯車構造を採用しているが、ボールネジ構造や回転シリンダー構造などを採用しても良い。
【００３７】
以下、本実施例に係る構成各部について詳細な説明をする。
【００３８】
薪割り本体３は、図１に図示したように前後に所定間隔を介して配される一対の設置体14Ａ，14Ｂ同士間に一対の長尺のフレーム体15Ａ，15Ｂを架設して構成されている。符号14ａ，14ｂは接地板である。
【００３９】
この各フレーム体15Ａ，15Ｂは、図１〜４に図示したように適宜な金属製の角筒材で構成されており、このフレーム体15Ａ，15Ｂ夫々を設置体14Ａ，14Ｂ夫々の上下対向位置同士間に架設している。
【００４０】
上フレーム体15Ａは、後述する薪支承部５のスライド部11をガイドするガイド部12として機能し、この上フレーム体15Ａの下面部には、図２に図示したように後述する歯車部７が転動する歯車転動部８（ラック歯部８）が設けられており、一方、下フレーム体15Ｂは補強部材として機能する。
【００４１】
また、薪割り本体３の上部には薪載置部２が設けられている。
【００４２】
薪載置部２は、図１，４に図示したように設置体14Ａ，14Ｂ夫々の上部の左右側面同士間に架設される一対の金属板材からなる薪載置部材２Ａで構成されており、この一対の薪載置部材２Ａは薪割り本体３の上部対向位置にして上フレーム15Ａの左右側方位置に所定間隔を介して配設され、また、上フレーム15Ａ（薪割り本体３の巾方向中央位置）に向けて下り傾斜状態に設けられている。
【００４３】
従って、この一対の薪載置部材２Ａ同士間に薪１を挟持状態で載置することができ、また、この一対の薪載置部材２Ａ同士間に位置する上フレーム15Ａをガイド部12として後述する薪支承部５のスライド部11がスライドすることになり、よって、薪支承部５は薪載置部材２Ａ同士間をスライド移動して後述する刃部４に対して相対接近移動することになる。
【００４４】
また、薪割り本体３を構成する一方（前端側）の設置体14Ａの上部には刃部４が設けられている。
【００４５】
この刃部４は、図１に図示したように適宜な金属製の部材で形成したものであり、先端に先鋭部４ａを有する楔形状に形成されている。
【００４６】
また、刃部４は、薪割り本体３の一端部にして薪載置部２を構成する一対の薪載置部材２Ａ同士間に配されており（先鋭部４ａが薪載置部材２Ａ同士間の略中央位置に位置するように配されている）、よって、薪１を薪載置部２に載置した際、薪１の一端部中央（中心）に刃部４の先鋭部４ａが位置する（当接する）ことになる。
【００４７】
薪支承部５は、図１に図示したように上フレーム15Ａをガイド部12として前後方向にスライドするスライド部11の上部に金属製の支承板５ａを設けて構成されている。
【００４８】
つまり、薪支承部５は、薪割り本体３の上部にして前述した刃部４と対向状態に設けられており、スライド部11をガイド部12に対して前後方向にスライドさせることで刃部４に対して接離移動し得ることになる。
【００４９】
スライド部11は、図１〜４に図示したように上フレーム15Ａに被嵌し得る枠状体で構成され、このスライド部11の下方部位には歯車部７が回動自在に設けられており、この歯車部７は前述したガイド部12に設けた歯車転動部８（ラック歯部８）に対して転動自在に設けられ、このラック歯部８とともに後述する足踏み移動機構を構成する。符号７ａは歯車部７の側方に突出し該歯車部７よりも径小である軸状の回動作用部であり、この回動作用部７ａを回動させることで歯車部７は回動することになる。
【００５０】
足踏み移動機構は、薪支承部５に設けた歯車部７が転動する歯車転動部８（ラック歯部８）を薪割り本体３に設け、歯車部７を足踏み操作部６の足踏み操作により擺動する擺動体10に連結して足踏み操作部６の足踏み操作により回動し得るように歯車部７を構成し、擺動体10と歯車部７との連結部にラチェット機構９を設けて、足踏み操作部６へ足踏み操作を繰り返し行い一方向へ回動する歯車部７がラック歯部８に対して順次転動することで、刃部４と薪支承部５とを接近移動せしめるように設けて足踏み移動機構を構成している。尚、歯車転動部８としては、前述したラック構造に限らず、棒状体の周面に螺旋歯を形成してなるウォームギア構造でも良いなど、本実施例の特性を発揮する構成であれば適宜採用し得るものである。
【００５１】
足踏み操作部６は、図１〜４に図示したように歯車部７に設けた回動作用部７ａに先端側部位を連結する擺動体10の基端側部位に板状の足載せ部10ａを設けて構成されている。
【００５２】
擺動体10は、図１に図示したように適宜な金属製の部材で形成した長尺体であり、この擺動体10の先端部は後述するラチェット機構９を介して歯車部７の回動作用部７ａに連結されている。
【００５３】
また、擺動体10は、薪支承部５（スライド部11）との間に付勢体13（抗拡付勢体）が架設されており、この擺動体10の基端側部位に設けられる足踏み操作部６の足踏み操作はこの付勢体13の戻り付勢に抗して行なわれることになる。
【００５４】
また、擺動体10の先端部にして歯車部７の回動作用部７ａとの連結部位にはラチェット機構９が設けられている。
【００５５】
このラチェット機構９は、図５に図示したように棒状基体９ａの先端部に回動自在に設けられるラック体９ｂと、棒状基体９の先端部に揺動自在（回動自在）に設けられラック体９ｂに係合して該ラック体９ｂの回動を規制する爪体９ｃとを有する周知構造のラチェットレンチ９で構成されており、本実施例では、このラチェットレンチ９（棒状基体９ａ）を擺動体10の先端部に着脱自在に設けられ、ラック体９ｂが前述した歯車部７の回動作用部７ａに連結される。
【００５６】
このラチェット機構９は、棒状基体９ａを擺動させて行なう一方向への回動に際してはラック体９ｂに爪体９ｃが係合して該ラック体９ｂは回動し（この状態が被回動部材に対して回動力を付与する状態である。）、反対に、棒状基体９を擺動させて行なう他方向への回動に際してはラック体９ｂに爪体９ｃが係合せず空回りして該ラック体９ｂは回動しない（この状態が被回動部材に対して回動力を付与しない状態である。）。このラチェット機構９における回動力を付与する状態と回動力を付与しない状態とが生じる構成は、ラック体９ｂ及び爪体９ｃ夫々に係る歯の形状、爪体９ｃの形状、棒状基体９に設けた爪体９ｃの揺動を規制する突没付勢体９ｄを設けるなど、各種設定によるものである。
【００５７】
本実施例では、このラチェット機構９における歯車部７の回動作用部７ａに対して回動力を付与する回動方向は、足踏み操作部６を押し下げて踏み操作した際の回動方向に設定されている。
【００５８】
この構成から、図５，６に図示したように足踏み操作部６を付勢体13の戻り付勢に抗して押し下げて踏み操作した際、ラチェット機構９のラック体９ｂは回動して回動作用部７ａは回動し（この際歯車部７がラック歯部９を転動し、薪支承部５は刃部６に対して接近移動する）、図７に図示したように足踏み操作部６への押し下げを解除して足踏み操作部６が付勢体13に付勢されて元の位置に戻る際、爪９ｃが係合せずカチカチと空回りすることでラック体９ｂは回動せず回動作用部７ａには回動力は付与されない。
【００５９】
尚、本実施例では、薪支承部５（スライド部11）に設けた歯車部７が歯合するラック歯部８を薪割り本体３（ガイド部12）に設けて、薪支承部５を薪割り本体３に固定した刃部４に対して接近移動自在に設けたが、歯車部７を薪割り本体３（ガイド部12）に設けてラック歯部８を薪支承部５（スライド部11）に設けるようにしても良いし、或いは、刃部４に設けた歯車部７が転動するラック歯部８を薪割り本体３に設けて、刃部４を薪割り本体３に固定した薪支承部５に対して接近移動自在に設けても良いし、この場合、歯車部７を薪割り本体３に設けてラック歯部８を刃部４に設けるようにしても良い。
【００６０】
以上の構成からなる本実施例に係る薪割り機を用いた薪割り作業について説明する。
【００６１】
先ず、薪１を薪載置部２に載置する。薪１の一端側には刃部４が位置し、薪１の他端側には薪支承部５が位置する。
【００６２】
続いて、この状態で足踏み移動機構に係る足踏み操作部６を足踏み操作すると刃部４に対して薪支承部５が接近移動し、他端側が薪支承部５で支承されて押圧される薪１の一端側に刃部４が押し当てられることで薪載置部２に載置した薪１は割れる。これを繰り返し行い薪１は完全に割れる。
【００６３】
その後、例えば手で薪支承部５や足踏み操作部６を握持するなどして、薪支承部５を薪割り本体３の後方側へスライドさせて元の位置に戻すことになる。この際、歯車部７はラック歯部８を転動して該歯車部７の回動作用部７ａは逆方向に回動することになるが、ラチェット機構９では、爪部９ｃがラック体９ｂに係合せずこの回動作用部７ａの逆方向の回動を許容することになる為、薪支承部５のスライド移動は簡易且つ確実に行なわれることになる。
【００６４】
本実施例は上述のように構成したから、歯車部７を足踏み操作部６の足踏み操作により擺動する擺動体10に連結して足踏み操作部６の足踏み操作により回動し得るように設けた構成で所謂梃子の原理を利用した増力効果が得られる構造であり、且つ、この擺動体10と歯車部７との連結部にラチェット機構９を設けた構造であり、単に足踏み操作部６へ足踏み操作を繰り返し行なうだけで薪割り作業が簡易且つ確実に行なえることになり、しかも、刃部４と薪支承部５との相対接近移動が、歯車部７をラック歯部８に対して転動させて行なう構造、即ち、足踏み操作部６への踏み込み力を歯車を利用して増力する構造であって、確実に任意の方向への移動を達成する構造のため、足踏み操作部６を無理に強く踏み込むようなことをしなくても軽い力で楽に薪割り作業が行なえることになり、そして更に、この刃部４と薪支承部５との相対接近移動が、足踏み操作部６を足踏み操作して歯車部７を回動させるだけの構造、即ち、前述した従来例のように薪１を載置する部位を揺動させることなく刃部４と薪支承部５との相対接近移動を達成し得る構造のため、非常に安定した状態で薪割り作業が行なえることになる。
【００６５】
よって、本実施例によれば、前述した従来例と異なり、極めて楽に且つ確実に薪を割ることができ、しかも、非常に安定した状態で良好な薪割り作業が行えることになる。
【００６６】
尚、本発明は、本実施例に限られるものではなく、各構成要件の具体的構成は適宜設計し得るものである。
【図面の簡単な説明】
【００６７】
【図１】本実施例を示す斜視図である。
【図２】本実施例に係る要部の説明図である。
【図３】本実施例に係る要部の分解斜視図である。
【図４】本実施例に係る要部の説明断面図である。
【図５】本実施例に係る要部の動作説明図である。
【図６】本実施例に係る要部の動作説明図である。
【図７】本実施例に係る要部の動作説明図である。
【図８】本実施例の使用状態説明図である。
【図９】本実施例の使用状態説明図である。
【符号の説明】
【００６８】
１  薪
２  薪載置部
２Ａ  薪載置部材
３  薪割り本体
４  刃部
５  薪支承部
７  回動部・歯車部
８  歯車転動部
９  ラチェット機構
10  擺動体
11  スライド部
12  ガイド部
13  付勢体
【図１】
2010046929.tif 000003
【図２】
2010046929.tif 000004
【図３】
2010046929.tif 000005
【図４】
2010046929.tif 000006
【図５】
2010046929.tif 000007
【図６】
2010046929.tif 000008
【図７】
2010046929.tif 000009
【図８】
2010046929.tif 000010
【図９】
2010046929.tif 000011